(57)【要約】【課題】本発明の課題は、信頼性の高い本人認証システムを提供することである。【解決手段】楽器音情報とリズム情報を対応付けた認証情報を記憶する記憶手段と、楽器音設定の入力を受け付けて、キー特定情報と楽器音情報を関連付けた関連情報を作成して保持する楽器音設定手段と、テンポ設定の入力を受け付けて、メトロノーム音のテンポを設定するテンポ設定手段と、前記テンポに合わせてキー入力されたキー特定情報に対応する楽器音情報を前記関連情報から求めて、前記求めた楽器音とリズム情報を組合せて入力情報として保持する入力情報保持手段と、前記入力情報と、前記記憶手段に記憶されている認証情報とを照合して認証する認証手段と、を備えることを特徴とする認証装置である。【選択図】図１
2008287349.tif 000002
【特許請求の範囲】
【請求項１】
楽器音情報とリズム情報を対応付けた認証情報を記憶する記憶手段と、
楽器音設定の入力を受け付けて、キー特定情報と楽器音情報を関連付けた関連情報を作成して保持する楽器音設定手段と、
テンポ設定の入力を受け付けて、メトロノーム音のテンポを設定するテンポ設定手段と、
前記テンポに合わせてキー入力されたキー特定情報に対応する楽器音情報を前記関連情報から求めて、前記求めた楽器音とリズム情報を組合せて入力情報として保持する入力情報保持手段と、
前記入力情報と前記記憶手段に記憶されている認証情報とを照合して認証する認証手段と、
を備えることを特徴とする認証装置。
【請求項２】
前記認証情報は、和音の楽器音情報を含む
ことを特徴とする請求項１に記載の認証装置。
【請求項３】
前記テンポ設定の入力を受け付けて、設定されたテンポで点滅するテンポ設定手段
を備えることを特徴とする請求項１または、請求項２に記載の認証装置。
【発明の詳細な説明】
【技術分野】
【０００１】
本発明は、音色（＝楽器音）にリズムをつけて入力する認証する装置に関するものである。
【背景技術】
【０００２】
従来から、認証装置が利用者に認証を与える時には、利用者の認証情報を取得して認証している。
認証情報としては、本人のみが知る暗証情報を用いるのが一般的である。
【０００３】
たとえば、特許文献１では、利用者は暗証情報としてパスワードの代わりにリズム情報を用いるもので、ひとつのキー（もしくは、マウスのひとつのボタン）を、リズムに合わせて複数回押したときに時間間隔を測定して、予め記録されたものと同一か否かを判別して、認証する技術が開示されている。
また、特許文献２では、音程が設定されているキーを用いて、パスワードをキー入力した時にメロディーを奏でることで、長い文字数のパスワードの暗記を当人に容易にさせる技術が開示されている。
【特許文献１】特開２００１−２４９７３１号公報（段落０００８−００１４、図３）
【特許文献２】特許３４８０６５８号公報（段落００２８−００３２、図２）
【発明の開示】
【発明が解決しようとする課題】
【０００４】
特許文献１の技術では、時間間隔（＝リズム）だけを測定して、押されたキーの種類を問わないので、他人が容易にリズムを真似できて盗まれやすいという欠点があった。
特許文献２の技術では、各キーに割り振られた音をメロディーにして聞かせるので、メロディーからパスワードを類推されるという問題点があった。
また、特許文献２の技術では、他人がメロディーを聞いて盗むことを防ぐために、各キーに割り振られる音をランダムに配置換えすることができるが、そのたびにパスワード入力の音が異なるのでメロディーが変化して分かり難いという不便さがあった。
【０００５】
本発明はこのような点を解決するためになされたものであって、本発明の課題は、信頼性の高い本人認証システムを提供することである。
【課題を解決するための手段】
【０００６】
本発明は、以下のような解決手段により、前記課題を解決する。すなわち、請求項１の発明は、楽器音情報とリズム情報を対応付けた認証情報を記憶する記憶手段と、楽器音設定の入力を受け付けて、キー特定情報と楽器音情報を関連付けた関連情報を作成して保持する楽器音設定手段（５２０）と、テンポ設定の入力を受け付けて、メトロノーム音のテンポを設定するテンポ設定手段（５３０）と、前記テンポに合わせてキー入力されたキー特定情報に対応する楽器音情報を前記関連情報から求めて、前記求めた楽器音とリズム情報を組合せて入力情報として保持する入力情報保持手段（５８０）と、前記入力情報と、前記記憶手段に記憶されている認証情報とを照合して認証する認証手段（５７０）と、を備えることを特徴とする認証装置である。
【０００７】
このように、認証情報を入力するたびに、楽器音を設定するキーを変更できるので、他人がキー入力を盗み見ても暗証情報を盗用することは不可能である。
【０００８】
請求項２の発明は、前記認証情報（５９１）は、和音の楽器音情報を含むことを特徴とする請求項１に記載の認証装置である。
【０００９】
請求項３の発明は、前記テンポ設定の入力を受け付けて、設定されたテンポで点滅するテンポ設定手段（５３０）を備えることを特徴とする請求項１または、請求項２に記載の認証装置である。
【発明の効果】
【００１０】
本願発明によれば、
（１）他人がキー入力を盗み見ても、認証の度に各キーに設定する楽器音を変更することで、楽器音から構成される暗証情報を生成することができるので、暗証情報を盗用することは不可能である。
（２）和音の楽器音で構成される暗証情報は、他人がこれを聞いて暗証情報を生成することは不可能である。
【発明を実施するための最良の形態】
【００１１】
以下、図面等を参照しながら、本発明の実施の形態について、更に詳しく説明する。
【００１２】
図１は、本発明による認証装置５００の概要図である。
認証装置５００は、キーボード１００とスピーカを備える。認証装置５００は、キーボード１００から利用者がリズムをとって入力する暗証情報（以下、認証情報とする）と、予め登録されているリズムと楽器音からなる認証情報を照合して認証を行う。
【００１３】
認証装置５００は、コンピュータプログラムによって制御されるパーソナルコンピュータである。認証装置のコンピュータプログラムの機能追加は、たとえば、Ｃ＋＋言語で作成することができる。
【００１４】
図２は、認証装置５００の詳細な構成図である。
認証装置５００は、ＣＰＵ５０１と、スピーカ５０２と、時計部５０３と、表示部５０４と、キーボード制御部５０５と、通信部５０７と、メモリ（＝記憶手段）１０９と、専用プログラムとを備える。
【００１５】
スピーカ５０２は、利用者がキーボードから入力したキーに対応付けられた楽器音を出力する。キーボード制御部５０５は、キーボード１００の押されたキーの特定情報と、キーを押した時のタイミング情報と、キーを放した時のタイミング情報を受信する。これによって、利用者がキー押下している時間を求めることができる。時計部５０３は、内部時計であり、利用者がキーボードからキー入力を行ったときの時刻情報を計測する。メモリ５０９は、半導体メモリや磁気メモリである。メモリ１０９は、認証情報５９１と対応データ５９３と入力データ５９５とを保持・記憶する。認証情報５９１は、利用者が認証装置５００にログインするための認証情報であり、例えばパスワードに相当する情報である。対応データ５９３は、キーボードのキーの特定情報と楽器音情報を対応付けたデータである。対応データ５９３に記載されているキーを押下すると、そのキーの対応づけられた楽器音をスピーカから出力する。入力データ５９５は、利用者がキーボードから入力した認証情報であり、一時的に保存さされ、認証情報５９１と照合して一致してれば、認証装置５００にログインできる。一度、照合が行われれば、入力データ５９５は消去される。
【００１６】
専用プログラムは、選択手段５１０と、楽器音設定手段５２０と、テンポ設定手段５３０と、入力情報保持手段５８０と、スピーカ出力手段５４０と、認証情報登録手段５５０と、暗証情報作成手段５６０と、認証手段５７０とから構成される。
【００１７】
選択手段５１０は、認証情報の登録用の入力画面、あるいは利用者認証の入力画面を選択するためのユーザインターフェースである。
【００１８】
楽器音設定手段５２０は、表示部５０４に表示したキーボード設定画面（図5）を表示し、キー特定情報と楽器音を対応付けるための手段である。利用者は楽器音とその楽器音に対応付けるキーを選択して、キー特定情報と楽器音情報を対応付けた対応データ５９３を作成する。対応データ５９３ができると、利用者がキーボードのキーを押すと、対応データ５９３で対応付けられた楽器音の音がスピーカ出力手段５４０から出力される。
テンポ設定手段５３０は、表示部５０４に表示したテンポ設定画面（図5のテンポ設定バー５０４ｂ）でありメトロノーム音のテンポを設定できる。利用者がメトロノーム音を聞きながらキーボードから認証情報を入力することによって、入力のリズムがとりやすくなる。
【００１９】
利用者の認証情報を入力した認証情報を保持するための入力情報保持手段５８０は、利用者から入力された入力されたキーの特定情報とリズム情報を対応付けた入力データ５９５を作成して、利用者の認証情報として保持する。利用者は、表示部５０４に表示している認証情報入力画面（図４）からメトロノーム音を聞きながらリズムをとりキー入力を行う。
スピーカ出力手段５４０は、利用者がキーボードから入力したキーに対して作成された入力データ５９５と対応データ５９３を参照して、入力キーに対応した楽器音情報を出力する。あわせて、利用者がリズムをとりやすいようにメトロノーム音を出力する。
【００２０】
認証情報登録手段５５０は、選択された楽器音情報とリズム情報を対応付けた認証情報５９１を作成して、メモリ５９１に記録する。
【００２１】
暗証情報作成手段５６０は、選択された楽器音情報とリズム情報を対応付けて暗証情報を作成する。
認証手段５７０は、作成された暗証情報と登録された認証情報５９１と照合して認証する。
【００２２】
図３は、認証情報の登録、及び利用者認証の設定の入力画面を選択するための選択画面５１４の例である。選択画面５１４は、認証情報登録ボタン５１４ａと、利用者認証ボタン５１４ｂから構成される。認証情報登録ボタン５１４ａは、認証情報の登録作業を行うためのユーザインターフェースを表示するためのものである。利用者認証ボタン５１４ｂは、利用者が認証をおこなうためのユーザインターフェースを表示するためのものである。
【００２３】
図４は、利用者の認証情報を入力するための認証情報入力画面５２４の例である。図３の選択画面５１４から認証情報の登録ボタン５１４ａをおすと認証情報入力画面５２４に遷移する。認証情報入力画面５２４は、認証情報を登録する画面であり利用者ＩＤを入力する利用者ＩＤ（＝利用者識別情報）入力表示欄５２４ｃと、キーボード設定画面を表示させるための選択ボタン５２４ｄと、認証番号を設定する認証番号入力表示欄５２４ｆと、メトロノームの役割を果たす規則的な点滅表示点４ｅから構成される。利用者は点滅表示点４eをみながら認証番号入力表示欄５２４ｆに認証番号を入力することもできる。
【００２４】
図５は、キーボード設定画面５３４の例である。
キーボード設定画面５３４は、キーボードのキーに割り付ける楽器音の一覧情報５３４ｇと、テンポ設定バー５３４ｈから構成される。テンポ設定バー５３４ｈは、テンポを調整するバーであり、設定したテンポは、認証情報入力画面５２４のテンポ表示マーク５０４eの点滅するテンポに使用される。
【００２５】
図８は、楽器音が設定されたキーボード１００の例である。
図８には、図６の対応データ５９３により楽器音が設定されたキーボード１００が例示されている。すなわち、
キーボード１００のキー「Ｅ」１００ｅには、楽器音情報５９１ａ「ドラム中」が設定されている。同様に、キー「Ｎ」１００ｎには、楽器音情報５９１ａ「シンバル」が設定されて、キー「Ｑ」１００ｑには、楽器音情報５９１ａ「ドラム大」が設定されて、キー「Ｕ」１００ｕには、楽器音情報５９１ａ「ドラム小」が設定されている。
【００２６】
キー「Retern」１００ｒが入力されると、キー入力が終了したことを意味する。
【００２７】
図６は、対応データ５９３の形式と例である。
対応データ５９３の項目は、キー特定情報（＝キー名称情報）５９３ａと、楽器音情報５９３ｂとから構成される。楽器音情報５９３ｂは、キーボード設定画面５３４の楽器音５０４から利用者がキーボードのキーと対応付けて選択した情報である。
【００２８】
図６には、対応データ５９３が例示されている。
キー名称情報５９３ａ「Ｑ」に楽器音情報５９３ｂ「ドラム大」が、対応付けられている例が示されている。同様に、キー名称情報５９３ａ「Ｕ」に楽器音情報５９３ｂ「ドラム小」が対応付けられて、キー名称情報５９３ａ「Ｅ」に楽器音情報５９３ｂ「ドラム中」が対応付けられて、キー名称情報５９３ａ「Ｎ」に楽器音情報５９３ｂ「シンバル」が対応付けられている。
【００２９】
図７は、認証情報５９１の形式と例である。
認証情報５９１は、リズム情報５９１ｂを対応付けた楽器音情報５９１ａから構成される認証音５９１ｃを複数個組み合わせて構成されている。
認証音５９１ｃは、少なくともひとつの楽器音情報５９１ａから構成される。認証音５９１ｃに楽器音情報５９１ａが複数ある場合は、和音のことである。
リズム情報５９１ｂは、時間間隔を表す情報である。
例は、認証情報５９１の認証音列が、リズム情報５９１ｂが「長」の楽器音情報５９１ａ「ドラム大」と「ドラム小」の和音と、リズム情報５９１ｂが「短」の楽器音情報５９１ａ「ドラム中」の単音と、リズム情報５９１ｂが「短」の楽器音情報５９１ａ「ドラム中」の単音と、リズム情報５９１ｂが「長」の楽器音情報５９１ａ「シンバル」の単音から構成される例が示されている。この場合、認証情報は楽器音とリズム（その楽器音が出力された時間）の組み合わせにより構成されいいる。この他にも、楽器音の代わりにキー特定情報とリズムの組み合わせで、認証情報５９１を構成してもよい。
【００３０】
図９は、認証情報の作成処理手順の説明図である。
時間流れ図１９７は、認証情報をキー入力する時の時間経過を示している。図の左から右に向かって時間が経過するように表示されている。背景音５０２ａは、利用者がキー入力するときの楽器音を他人に聞き取られないようにするためにスピーカから流れ続ける音である。メトロノーム音５０２ｂは、利用者がリズムを取ってキー入力がやり易いようにするために、スピーカから流れ続けている音である。
【００３１】
利用者がメトロノーム音５０２ｂに合わせて、リズムを取りながら、「Ｑ」「Ｕ」「Ｅ」「Ｅ」「Ｎ」「Enter」と、キー入力する。このとき、「Ｑ」「Ｕ」は、同時に押して和音を構成させている。このときのキー入力のリズムは、「長」「短」「短」「長」である。リズムの例として、メトロノーム音５０２ｂのテンポの間隔を０．５秒とすれば、「長」であればメトロノーム音５０２ｂのテンポ２つ分で１．０秒、「短」であればメトロノームのテンポ１つ分で０．５秒とすることができる。そこで、キー名称情報（=キーの特定情報）とリズム情報を対応付けた入力データ５９５を作成する。すなわち、キー名称情報５９５ａ「Ｑ＆Ｕ」とリズム情報５９５ｂ「長」を対応付けて、キー名称情報５９５ａ「Ｅ」とリズム情報５９５ｂ「短」を対応付けて、キー名称情報５９５ａ「Ｅ」とリズム情報５９５ｂ「短」を対応付けて、キー名称情報５９５ａ「Ｎ」とリズム情報５９５ｂ「長」を対応付けた入力データ５９５を作成する（図９（１））。
【００３２】
次に、図６に例示された対応データ５９３を用いて（同（２））、図７に例示された認証情報５９１を作成する（同（３））。
【００３３】
次に、利用者の操作の流れを説明する。
図１０は、認証情報登録処理の流れを説明する図である。
認証装置５００（たとえば、モバイル端末やＰＣ＝パーソナルコンピュータ）は、選択画面５１４を表示する（図１０（１））。
利用者は、選択画面５１４の「認証情報の登録」を選択する（同（２））。
認証装置５００は、「認証情報の登録」の入力を受け付けると認証情報入力画面５２４を表示する。更に、キーボード設定ボタン５０４ｄを押すと、キーボード設定画面５３４が表示される（同（３））。
利用者は、キーボード設定画面５３４からキーボードの楽器音を選択する（同（４））。
キーボードのキーに楽器音を割り付ける方法としては、まず、楽器音を選択して、この楽器音を割り当てるキーを押すという組み合わせ動作で、楽器音とキーの対応付けを行う。認証装置５００は、キーボードと楽器音情報を対応付けて対応データ５９３を保持する（同（５））。
更に、利用者は、キーボード設定画面５３４からメトロノームのテンポを選択する（同（６））。
認証装置５００は、テンポ情報を用いてメトロノーム音を生成してスピーカに出力する。（同（７））。
利用者は、認証情報入力画面５２４に戻って、認証情報入力欄５０４ｆにメトロノーム音を聞きながら、あるいは、テンポ表示マークを見ながら、リズムを取って認証情報をキーボード入力する（同（８））。
認証装置５００は、キーボードの入力を受け付けて、対応データ５９３に基いて対応した楽器音を選択して、スピーカに出力する（同（９））。
認証装置５００は、楽器音情報に間隔時間情報を対応付けて認証データを作成して、登録する（同（１０））
【００３４】
なお、同じ楽器音を、複数の異なるキーに選択して設定してもよい。
【００３５】
利用者の認証処理について説明する。利用者は、選択画面５１４から、「利用者認証」ボタンを押して、認証用の画面を表示させる。認証の画面には、少なくとも、認証情報入力画面５２４の認証情報入力欄５０４ｆとテンポ表示マーク５０４ｅが配置されており、ユーザは、テンポ表示マークの点滅でリズムをとるか、或いはスピーカから出力されるメトロノームの音でリズムを取って認証情報をキーボードからキー入力を行う。利用者がキーを押下したときに、キーに対応付けられた楽器音と、キーを押下している時間の組み合わせを認証情報として作成し、認証情報５９１と照合し一致するかを判断する。
【図面の簡単な説明】
【００３６】
【図１】本発明による認証装置５００の概要図。
【図２】認証装置５００の詳細な構成図
【図３】選択画面５１４の例
【図４】認証情報入力画面５２４の例
【図５】キーボード設定画面５３４の例
【図６】対応データ５９３の形式と例
【図７】認証情報５９１の形式と例
【図８】楽器音が設定されたキーボード１００の例
【図９】認証情報の作成処理手順の説明図
【図１０】認証情報登録処理の流れを説明する図
【符号の説明】
【００３７】
１００  キーボード
５００  認証装置
５１０  選択手段
５１４  選択画面
５２０  楽器音設定手段
５２４  認証情報入力画面
５３０  テンポ設定手段
５３４  キーボード設定画面
５４０  スピーカ出力手段
５５０  認証情報登録手段
５６０  暗証情報作成手段
５７０  認証手段
５８０  入力情報保持手段
５９１  認証情報
５９３  対応データ
５９５  入力データ
【図１】
2008287349.tif 000003
【図２】
2008287349.tif 000004
【図３】
2008287349.tif 000005
【図４】
2008287349.tif 000006
【図５】
2008287349.tif 000007
【図６】
2008287349.tif 000008
【図７】
2008287349.tif 000009
【図８】
2008287349.tif 000010
【図９】
2008287349.tif 000011
【図１０】
2008287349.tif 000012